(57)【要約】  無線通信装置１００を動作させる方法は、無線局２００により断続的に送信されるアクセスパラメータを受信するステップと、最も新しく受信されたアクセスパラメータの値を記憶するステップと、アクセス信号を送信するステップとを有する。該方法は、更に、無線局２００により送信される妥当性標識を受信するステップと、該妥当性標識が第１の値を有する場合、前記アクセス信号を送信するために、最も新しく受信されたアクセスパラメータの記憶された値を使用するステップと、前記妥当性標識が第２の値を有する場合、次のランダムアクセスパラメータを受信するのを待ち、前記アクセス信号を送信するために、前記次のアクセスパラメータの値を使用するステップとを有する。
2009514309.tif 000002
【特許請求の範囲】
【請求項１】
無線通信装置及び無線局を有する無線システムであって、
前記無線局が、
アクセスメッセージの送信において、前記無線通信装置により使用するアクセスパラメータを断続的に送信する送信手段を有し、前記送信手段が妥当性標識を送信し、
前記無線通信装置が、
前記無線局から前記アクセスパラメータを受信する受信手段と、
最も新しく受信されたアクセスパラメータの値を記憶する記憶手段と、
アクセス信号を送信する送信手段と、
制御手段と
を有し、前記受信手段が前記無線局により送信される前記妥当性標識を受信し、前記制御手段が、少なくとも前記妥当性標識の値に依存して、前記アクセス信号の前記送信のために最も新しく受信されたアクセスパラメータの前記記憶された値を使用するか、又は、次のアクセスパラメータを受信するのを待ち、前記アクセス信号の前記送信のために前記次のアクセスパラメータの値を使用する、無線システム。
【請求項２】
前記無線通信装置が、ページングメッセージの受信に応答して前記アクセス信号を送信する送信手段を更に有する、請求項１に記載のシステム。
【請求項３】
前記無線局の前記送信手段が、ページングチャネル上で前記妥当性標識を送信する、請求項２に記載のシステム。
【請求項４】
前記無線局の前記送信手段が、前記妥当性標識を有するページングメッセージを送信する、請求項３に記載のシステム。
【請求項５】
前記無線通信装置の前記制御手段が、前記ページングメッセージの受信に応答して、前記アクセス信号の前記送信の前に、前記妥当性標識の受信を待つ、請求項２に記載のシステム。
【請求項６】
前記無線通信装置の前記送信手段は、前記無線通信装置において開始される呼出しに応答して、前記アクセス信号を送信し、前記無線通信装置において開始される前記呼出しに応答して、前記制御手段は、前記アクセス信号の前記送信の前に、前記妥当性標識の受信を待つ、請求項１に記載のシステム。
【請求項７】
前記無線局の前記送信手段は、報知メッセージで前記妥当性標識を送信する、請求項１に記載のシステム。
【請求項８】
前記無線局の前記送信手段は、前記妥当性標識の送信の間の時間間隔の表示を更に有する前記報知メッセージを送信する、請求項７に記載のシステム。
【請求項９】
前記無線通信装置の前記受信手段は、前記アクセスパラメータの送信の間の時間間隔の表示を有する前記報知メッセージを受信する、請求項８に記載のシステム。
【請求項１０】
前記無線通信装置の前記受信手段は、異なる無線通信装置にアドレス指定されるページングメッセージで前記妥当性標識を受信する、請求項３に記載のシステム。
【請求項１１】
前記無線通信装置の前記制御手段は、前記妥当性標識が第１の値を有する場合、所定の期間内に受信されたときのみ、最も新しく受信されたアクセスパラメータの前記記憶された値を使用し、そうでなければ次の受信されるアクセスパラメータの前記値を使用する、請求項１に記載のシステム。
【請求項１２】
前記無線通信装置の前記受信手段は、前記所定の期間の値の表示を前記無線局から受信する、請求項１１に記載のシステム。
【請求項１３】
無線局により断続的に送信されるアクセスパラメータを受信する受信手段と、
最も新しく受信されたアクセスパラメータの値を記憶する記憶手段と、
アクセス信号を送信する送信手段と、
制御手段と
を有する無線通信装置であって、前記受信手段が、前記無線局により送信される妥当性標識を受信し、前記制御手段が、少なくとも前記妥当性標識の値に依存して、前記アクセス信号の前記送信のための最も新しく受信されたアクセスパラメータの前記記憶された値を使用するか、又は次のアクセスパラメータを受信するのを待ち、前記アクセス信号の前記送信のために前記次のアクセスパラメータの値を使用する、無線通信装置。
【請求項１４】
アクセスメッセージの送信において、無線通信装置により使用するアクセスパラメータを断続的に送信する送信手段を有する無線局であって、前記送信手段は、アクセスメッセージを送信したい無線通信装置が、最も新しく送信されたアクセスパラメータの記憶された値を使用すべきか、又は次に送信されるアクセスパラメータを受信するのを待つべきかを示す妥当性標識を送信する、無線局。
【請求項１５】
無線局により断続的に送信されるアクセスパラメータを受信するステップと、
最も新しく受信されたアクセスパラメータの値を記憶するステップと、
アクセス信号を送信するステップと、
を有する無線通信装置を動作させる方法であって、
前記無線局により送信される妥当性標識を受信するステップと、
少なくとも前記妥当性標識の値に依存して、
前記アクセス信号を送信するために、最も新しく受信されたアクセスパラメータの前記記憶された値を使用するか、又は
次のランダムアクセスパラメータを受信するために待ち、前記アクセス信号を送信するために前記次のアクセスパラメータの値を使用するステップと
を有する方法。
【請求項１６】
アクセスメッセージの送信において、無線通信装置により使用するアクセスパラメータを断続的に送信するステップと、
アクセスメッセージを送信したい無線通信装置が、最も新しく送信されたアクセスパラメータの記憶された値を使用するべきか、又は次に送信されるアクセスパラメータを受信するために待つべきかを示す妥当性標識を送信するステップと
を有する、無線局を動作させる方法。
【発明の詳細な説明】
【技術分野】
【０００１】
本発明は、無線システム、無線通信装置、無線局、無線通信装置を動作させる方法、及び無線局を動作させる方法に関する。本発明は、特に、排他的ではないが、ユニバーサルモバイル通信システム（ＵＭＴＳ）のようなモバイル通信システムにおける用途を有する。
【背景技術】
【０００２】
現行のバージョンのＵＭＴＳにおいて、モバイル局が、報知チャネル上を、周期的であるが、おそらく頻繁ではなく基地局から送信されるランダムアクセスパラメータの受信を待たなければならないので、モバイル局への、又はモバイル局からの呼出しの開始と、モバイル局のランダムアクセス送信の開始との間に遅延が生じる。
【０００３】
ＵＭＴＳにおいて、ランダムアクセスパラメータがどのくらい実行されるかを記載するパラメータは、報知チャネル（ＢＣＨ）上を断続的に信号送信される。これらのパラメータは、例えばセル内のアップリンク負荷（loading）にしたがって更新されても良い。ランダムアクセスをしようとするモバイル局（ＭＳ）は、まずＢＣＨからパラメータを受信しなければならない。ＵＭＴＳにおいて、ランダムアクセスパラメータは、ＳＩＢ７として知られるシステム情報ブロック（ＳＩＢ）で送信される。ＳＩＢ７に含まれるパラメータは、以下の要素を含む。
・アップリンク干渉（ＵＬ）、値域−１１０乃至−７０ｄＢｍ（６ビット必要）。
・ＳＩＢ５及びＳＩＢ６において列挙される物理ランダムアクセスチャネル（ＰＲＡＣＨ）毎の動的な持続レベル、値域１乃至８（３ビット必要）。これは、ランダムアクセスチャネル（ＲＡＣＨ）上のＭＳ送信確率を制御する機能に対する入力として使用される。
・終了時間要素、値域１乃至８（３ビット必要）。終了要素は、どのくらいの長さがＳＩＢ７の内容を妥当とみなし得るかをＭＳに示す。
【０００４】
ＳＩＢ７の送信の頻度（例えばｘが整数の場合ｘフレーム毎）は、ＢＣＨ上を８フレーム毎に送信されるとともに、ＳＩＢで時間多重化されるマスター情報ブロック（ＭＩＢ）に示される。１つの時間フレームは１０ｍｓである。
【０００５】
ＢＣＨ上の信号負荷を最小化させるために、ランダムアクセスパラメータを送信する頻度を低減させることが望ましい。しかしながら、ＭＳへの、又はＭＳからの呼出しが開始される場合、ＭＳは、自身のランダムアクセス送信をすることができる前に、最新のランダムアクセスパラメータを受信するのを待つ、より長い遅延を経験する。
【０００６】
ランダムアクセス遅延を低減させるいくつかの可能な態様は、以下の通りである。
・モバイル終了呼出し（ＭＴＣ）の場合において、更なる遅延なくランダムアクセスパラメータをＭＳに供給するために、各々のページングメッセージでＳＩＢ７情報を信号送信する。遅延の低減は、ＭＳが他のＭＳに対するページングメッセージを聞く場合、モバイル開始呼出し（ＭＯＣ）に対して達成することができる。しかしながら、事実上ページングチャネルを報知チャネルに変えるので、この方式の欠点は、ページングチャネル（ＰＣＨ）上において負荷を増加させてしまう。
・前記ランダムアクセスパラメータが無限の妥当性を有することを特定するのを可能にするようにＳＩＢ７を修正する。このことは、ネットワークが信号送信負荷を増加させることなく、ランダムアクセス遅延を低減することを可能にする利点を有する。こうすることは、報知タイプの情報をＰＣＨに置くことも避ける。しかしながら、この方式の欠点は、ネットワークが、アップリンクセル負荷の変更に応答して、ランダムアクセスパラメータを調整することを困難にすることである。一度、ＭＳが無限の妥当性を有するランダムアクセスパラメータのセットを受信すると、ランダムアクセスパラメータの他のセットを受信しようとしないであろう。
【発明の開示】
【発明が解決しようとする課題】
【０００７】
本発明の目的は、アクセス送信の遅延を低減させることである。
【課題を解決するための手段】
【０００８】
本発明の第１の態様によると、無線通信装置と無線局とを有する無線システムが設けられ、該無線局は、アクセスメッセージの送信において、無線通信装置によって使用するアクセスパラメータを断続的に送信する送信手段を有し、該送信手段は、妥当性標識を送信する。前記無線通信装置は、
前記無線局から前記アクセスパラメータを受信する受信手段と、最も新しく受信されたアクセスパラメータの値を記憶する記憶手段と、アクセス信号を送信する送信手段とを有し、前記受信手段が、前記無線局により送信される妥当性標識を受信し、前記無線通信装置が、更に、アクセス信号の送信のために最も新しく受信されたアクセスパラメータの記憶された値を使用するか、又は次のアクセスパラメータを受信するために待ち、少なくとも前記妥当性標識の値に依存して、前記アクセス信号の送信のため、前記次のアクセスパラメータの値を使用する制御手段を有する。
【０００９】
本発明の第２の態様によると、無線局により断続的に送信されるアクセスパラメータを受信する受信手段と、最も新たに受信されたアクセスパラメータの値を記憶する記憶手段と、アクセス信号を送信する送信手段とを有する無線通信装置が設けられ、前記受信手段が前記無線局により送信される妥当性標識を受信し、前記無線通信装置は、更に、前記アクセス信号の送信のために、最も新たに受信されたアクセスパラメータの記憶された値を使用するか、又は少なくとも妥当性標識の値に依存して、次のアクセスパラメータを受信するために待ち、前記アクセス信号の送信のために、前記次のアクセスパラメータの値を使用する制御手段を有する。
【００１０】
本発明の第３の態様によると、アクセスメッセージの送信において、無線通信装置により使用するアクセスパラメータを断続的に送信する送信手段を有する、無線局が設けられ、前記送信手段は、アクセスメッセージを送信したい無線通信装置が最も新しく送信されたアクセスパラメータの記憶された値を使用するべきか、又は次に送信されたアクセスパラメータを受信するために待つべきかを示す妥当性標識を送信する。
【００１１】
本発明の第４の態様によると、無線通信装置を動作させる方法であって、無線局により断続的に送信されるアクセスパラメータを受信するステップと、最も新たに受信されるアクセスパラメータの値を記憶するステップと、アクセス信号を送信するステップと、前記無線局により送信される妥当性標識を受信するステップと、少なくとも前記妥当性標識の値に依存するステップと、前記アクセス信号を送信するために、最も新しく受信されたアクセスパラメータの記憶された値を使用するか、又は次のランダムアクセスパラメータを受信するのを待ち、アクセス信号を送信するために前記次のアクセスパラメータの値を使用するステップとを有する方法が提供される。
【００１２】
本発明の第５の態様によると、無線局を動作させる方法であって、アクセスメッセージの送信において、無線通信装置により使用するアクセスパラメータを断続的に送信するステップと、アクセスメッセージを送信したい無線通信装置が、最も新しく送信されたアクセスパラメータの記憶された値を使用すべきか、又は次に送信されるアクセスパラメータを受信するのを待つべきかを示す妥当性標識を送信するステップとを有する方法が提供される。
【００１３】
したがって、標識は、無線通信装置がアクセスパラメータ（又は複数のアクセスパラメータ）の最も新しく記憶された値を使用すべきか、又はアクセスパラメータに対する新たな値を受信するまで、アクセス信号を送信するべきではないかを示すために、無線局（例えば基地局）により無線通信装置（例えばモバイル局）に送信される。前記標識は、無線通信装置に対するページングメッセージとあわせて、ページングチャネル上を送信され得るか、又は例えばどのくらいの頻度でアクセスパラメータの値が報知チャネル上を送信されるかを前記無線通信装置に知らせる信号送信とあわせて、規則的な間隔で報知チャネル上を送信され得る。
【００１４】
本発明は、大きな付加的な信号送信負荷を避けながら、アクセス送信の遅延が低減されることを可能にする。
【００１５】
本発明は、例により、添付の図面を参照して説明されるであろう。
【発明を実施するための最良の形態】
【００１６】
図１を参照すると、無線通信装置１００と無線局２００とを有する無線通信システムが記載される。
【００１７】
無線局２００は、アクセスメッセージの送信において、無線通信装置１００により使用するアクセスパラメータを、アンテナ８５を介して断続的に送信する送信機８０を有する。アクセスパラメータは、ランダムアクセスメッセージを送信する場合、無線通信装置１００により使用するランダムアクセスパラメータであり得る。１又はそれより多くのアクセスパラメータが送信され得る。送信機８０は、アクセスメッセージを送信したい無線通信装置１００が、最も新たに送信されたアクセスパラメータの記憶された値を使用すべきか、又は次に送信されるアクセスパラメータを受信するのを待つべきかを示す妥当性標識を送信する。アクセスパラメータ及び妥当性標識は、送信機８０に結合されるアクセス制御器９５により生成され得る。アクセス制御器９５は、アクセス制御器９５及びアンテナ８５に結合される受信機９０により受信される信号に、少なくとも部分的に基づく妥当性標識及びアクセスパラメータを生成し得る。アクセス制御器９５は、例えばマイクロプロセッサで実施され得る。
【００１８】
送信機８０は、ページングチャネル上で妥当性標識を送信しても良い。
【００１９】
送信機８０は、無線通信装置１００か、又は他の図示されていない無線通信装置にアドレス指定される、妥当性標識を有するページングメッセージを送信しても良い。
【００２０】
送信機８０は、報知メッセージで妥当性標識を送信しても良い。
【００２１】
送信機８０は、妥当性標識の送信の間の時間間隔の標識を更に有する、報知メッセージを送信しても良い。
【００２２】
送信機８０は、アクセスパラメータの送信の間の時間間隔の標識を更に有する報知メッセージを送信しても良い。
【００２３】
無線通信装置１００は、無線局２００により断続的に送信されるアクセスパラメータを受信するための、アンテナ７０に結合される受信機１０と、最も新たに受信されるアクセスパラメータの値を記憶するための、受信機１０に結合された記憶装置２０と、アクセス信号を送信するための、アンテナ７０に結合される送信機３０とを有する。アクセス信号を送信するための要件は、例えば無線通信装置１００において開始される外部呼出しに応答するか、又は無線局２００により送信される内部呼出しに応答してもよい。受信機１０は、無線局２００により送信される妥当性標識を受信し、該妥当性標識を制御器４０に送る。制御器４０は、前記妥当性標識が第１の値を有する場合、アクセス信号の送信のために、最も新たに受信されたアクセスパラメータの記憶された値を使用し、前記妥当性標識が第２の値を有する場合、次のアクセスパラメータを受信するために待ち、アクセス信号を送信するために、前記次のアクセスパラメータの値を使用する。
【００２４】
送信機３０は、ページングメッセージの受信に応答して、アクセス信号を送信しても良い。
【００２５】
受信機１０は、ページングチャネル上でページングメッセージ及び妥当性標識を受信しても良い。
【００２６】
受信機１０は、妥当性標識を有するページングメッセージを受信してもよい。
【００２７】
制御器４０は、ページングメッセージの受信に応答して、アクセス信号の送信を許可する前に、妥当性標識の受信を待ってもよい。
【００２８】
送信機３０は、無線通信装置１００で開始される呼び出しに応答して、アクセス信号を送信しても良く、この場合において、制御器４０は、アクセス信号の送信を許可する前に、妥当性標識の受信を待つ。
【００２９】
受信機１０は、報知メッセージで妥当性標識を受信しても良い。
【００３０】
受信機１０は、妥当性標識の送信の間の時間間隔の表示を含む報知メッセージを受信しても良い。
【００３１】
受信機１０は、アクセスパラメータの送信の間の時間間隔の表示を含む報知メッセージを受信しても良い。
【００３２】
受信機１０は、他の無線通信装置に対してアドレス指定されるページングメッセージにおいて、妥当性標識を受信しても良い。
【００３３】
制御器４０は、妥当性標識が第１の値を有する場合、所定の期間内に受信されるときのみ、最も新たに受信されたアクセスパラメータの記憶された値を使用し、そうでなければ、次に受信されるアクセスパラメータの値を使用してもよい。
【００３４】
受信機１０は、無線局２００から所定の期間の値の表示を受信しても良い。
【００３５】
ＵＭＴＳに応用可能な本発明の一実施例において、
・最も新しく記憶されたランダムアクセスパラメータを使用するか、又は
・ランダムアクセス送信をする前に、次のＳＩＢ７を待ち、受信する
ことをＭＳに示すために、単一の追加ビットが、ＰＣＨ上を送信されるＵＭＴＳページングタイプ１メッセージに付加される。各々のネットワーク開始ランダムアクセスの試みに対して、このことは、それゆえ最後に記憶されるパラメータ値を使用することにより、遅延を最小化させることと、ＭＳが次のＳＩＢ７を待つ間、より長いアクセス遅延で、ランダムアクセスパラメータを最適化することとの間で、ネットワークが選択するのを可能にする。このことは、全ＳＩＢ７情報を各々のページングメッセージで信号送信することに起因する、ＰＣＨ上の付加的な信号送信負荷を避ける。
【００３６】
ＵＭＴＳに応用可能な本発明の第２の実施例において、ＭＩＢにおける１ビットは、ＭＳが
・最後に記憶されたランダムアクセスパラメータを使用すべきか、又は
・ＲＡＣＨにアクセスする前に、次のＳＩＢ７を待ち、受信すべきか
を示すために使用される。
【００３７】
オプションとして、ＭＩＢにおける標識ビットは、ＳＩＢ７情報がどのくらいの頻度で送信されるのを示すＳＩＢ＿ＲＥＰとしてＵＭＴＳにおいて知られるパラメータとともに符号化され得る。
【００３８】
ＭＩＢがいつもＵＭＴＳの８フレーム毎に送信され、各々のフレームが１０ｍｓの持続期間を有するとき、このことは、ＭＩＢにおける新たな標識ビットが、「最後に記憶されたランダムアクセスパラメータを使用する」ことを示すように設定される場合、使用すべきランダムアクセスパラメータの決定の遅延は、最大８０ｍｓに制限され得ることを意味する。ＳＩＢ７が合間に偶然受信される場合、遅延は更に短縮されるであろう。この実施例は、ネットワークが遅延の最小化と、ランダムアクセスパラメータの最適化との間で選択することができる一方、ＰＣＨ上のいかなる追加の負荷も避ける。この方法は、「無限妥当性」ランダムアクセスパラメータの使用と比較して、所望であれば８０ｍｓ毎に、ネットワークが最小遅延対最適ランダムアクセスパラメータの選択を変更できるという利点を有する。
【００３９】
この実施例は、あらゆる環境で利用可能であるわけではないＭＳが他のＭＳに対してページングメッセージを処理する必要なく、ＭＴＣ及びＭＯＣの両方に対して同じ利益を提供する利点を有する。
【００４０】
上記の実施例両方の変形において、「最後に記憶されたランダムアクセスパラメータの使用」に対応する追加ビットの値は、代替としてＸが単一の適した値として指定され得る場合、「Ｘｍｓ前よりも新たに受信された場合、最後に記憶されたランダムアクセスパラメータを使用する」ことを意味するように規定され得る。
【００４１】
本明細書及び請求項において、要素に対する単数形の表記は、このような要素の複数の存在を排除しない。更に、「有する」という言葉は、列挙された以外の他の要素又はステップの存在を排除しない。
【００４２】
請求項において括弧で参照符号を含めることは、理解を補助することを意図され、制限することを意図されない。
【００４３】
本開示を読むことから、他の修正例が、当業者には明らかであろう。このような修正は、無線通信の技術において既に知られ、ここに既に記載されたフィーチャの代わりに又は付加して使用され得る他のフィーチャに関連し得る。
【図面の簡単な説明】
【００４４】
【図１】図１は、無線通信装置と無線局とを有する無線通信システムのブロック概略図である。
【図１】
2009514309.tif 000003
【国際調査報告】
2009514309.tif 000004
2009514309.tif 000005
2009514309.tif 000006